(57)【特許請求の範囲】
【請求項１】
複数のコンクリート型枠を連結ピンにより長手方向に連結するとともに、高さ方向に積み上げた状態で、所定間隔をおいて対向配置し、それらのコンクリート型枠の外側縁に沿って、コンクリート型枠の腰折れを防止するための支持桟を立設状態に保持するコンクリート型枠用の支持桟の保持具において、
保持具本体を金属棒により形成するとともに、前記保持具本体の基端部には、コンクリート型枠上の連結ピンに係脱可能な係止部材を固定し、同係止部材を金属板により側面形ほぼクランク状に形成し、その係止部材の基端固定部を保持具本体の基端部に溶接固定する一方、前記保持具本体の先端部には、支持桟をコンクリート型枠の外側縁との間で把持する把持アームを締め付け可能に取り付けたコンクリート型枠用の支持桟の保持具。
【請求項２】
前記係止部材の基端固定部における幅方向の中央に嵌合溝を形成し、この嵌合溝に保持具本体の基端部を嵌合した状態で、係止部材の基端固定部を保持具本体の基端部に溶接固定した請求項１に記載のコンクリート型枠用の支持桟の保持具。
【請求項３】
前記係止部材の幅を保持具本体の基端部の外径よりも大きくなるように設定した請求項１または請求項２に記載のコンクリート型枠用の支持桟の保持具。
【請求項４】
前記係止部材の中間延長部に対する基端固定部の折曲げ角度を、９０度よりも小さくなるように設定するとともに、係止部材の先端係止部の突出長さを、コンクリート型枠の外面と連結ピンとの間隔よりも大きくなるように設定した請求項１ないし請求項３のいずれかに記載のコンクリート型枠用の支持桟の保持具。
【発明の詳細な説明】
【０００１】
【発明の属する技術分野】
この発明は、建築物の布基礎コンクリートなどを形成するためのコンクリート型枠用の支持桟の保持具に関するものである。
【０００２】
【従来の技術】
一般に、高さの高いコンクリート壁等の構造物を形成する場合には、複数のコンクリート型枠を連結ピンにより長手方向に連結するとともに、高さ方向に積み上げた状態で、所定間隔をおいて対向配置していた。この場合、金属パイプや木材等よりなる支持桟をコンクリート型枠の外側縁に沿って立設状態に配設して、積み上げ状態にあるコンクリート型枠が腰折れするのを防止していた。
【０００３】
従来、この種の支持桟をコンクリート型枠の外側に立設保持する際には、支持桟に複数の取付金具を取り付けるとともに、コンクリート型枠に複数の取付孔を形成していた。そして、各取付金具の挿通孔からコンクリート型枠の取付孔にボルトを挿通して、ナットで締め付けることにより、支持桟をコンクリート型枠の外側縁に立設保持するようにしていた。
【０００４】
【発明が解決しようとする課題】
そのため、この従来構成においては、コンクリート型枠に対する支持桟の保持構造が複雑であるとともに、支持桟の着脱操作が面倒で時間がかかるという問題があった。
【０００５】
この発明は、このような従来の技術に存在する問題点に着目してなされたものである。その目的とするところは、構造が簡単であるとともに、支持桟をコンクリート型枠の外側縁に容易かつ短時間に着脱することができるコンクリート型枠用の支持桟の保持具を提供することにある。
【０００６】
【課題を解決するための手段】
上記の目的を達成するために、請求項１に記載の発明では、複数のコンクリート型枠を連結ピンにより長手方向に連結するとともに、高さ方向に積み上げた状態で、所定間隔をおいて対向配置し、それらのコンクリート型枠の外側縁に沿って、コンクリート型枠の腰折れを防止するための支持桟を立設状態に保持するコンクリート型枠用の支持桟の保持具において、保持具本体を金属棒により形成するとともに、前記保持具本体の基端部には、コンクリート型枠上の連結ピンに係脱可能な係止部材を固定し、同係止部材を金属板により側面形ほぼクランク状に形成し、その係止部材の基端固定部を保持具本体の基端部に溶接固定する一方、前記保持具本体の先端部には、支持桟をコンクリート型枠の外側縁との間で把持する把持アームを締め付け可能に取り付けたものである。
【０００８】
請求項２に記載の発明では、請求項１に記載のコンクリート型枠用の支持桟の保持具において、前記係止部材の基端固定部における幅方向の中央に嵌合溝を形成し、この嵌合溝に保持具本体の基端部を嵌合した状態で、係止部材の基端固定部を保持具本体の基端部に溶接固定したものである。
【０００９】
請求項３に記載の発明では、請求項１または請求項２に記載のコンクリート型枠用の支持桟の保持具において、前記係止部材の幅を保持具本体の基端部の外径よりも大きくなるように設定したものである。
【００１０】
請求項４に記載の発明では、請求項１ないし請求項３のいずれかに記載のコンクリート型枠用の支持桟の保持具において、前記係止部材の中間延長部に対する基端固定部の折曲げ角度を、９０度よりも小さくなるように設定するとともに、係止部材の先端係止部の突出長さを、コンクリート型枠の外面と連結ピンとの間隔よりも大きくなるように設定したものである。
【００１１】
【発明の実施の形態】
以下に、この発明の一実施形態を、図面に基づいて説明する。
図１に示すように、コンクリート型枠１１は所定厚さの横長四角板状に形成され、その外面の一側縁には複数の連結ピン１２が所定間隔をおいて配設されている。そして、高さの高いコンクリート壁等の構造物を形成する場合には、このコンクリート型枠１１が連結ピン１２により長手方向に複数個連結されるとともに、高さ方向に複数段に積み上げられた状態で、所定間隔をおいて対向配置される。
【００１２】
複数の保持具１３は前記コンクリート型枠１１の長手方向の連結部分において、高さ方向に配列された任意の連結ピン１２に対して着脱可能に係止支持される。この保持具１３の係止箇所は、最上部に位置する連結ピン１２と、最下部に位置する連結ピン１２と、中間部に位置する適数個の連結ピン１２とに設定するのが望ましい。また、保持具１３の係止個数は、コンクリート型枠１１の積み上げ段数に「１」を加算した値となるように設定するのが望ましい。
【００１３】
金属パイプや木材等よりなる支持桟１４は前記保持具１３により、コンクリート型枠１１の外側縁に沿って立設状態に保持される。そして、この支持桟１４により、積み上げ状態にあるコンクリート型枠１１が、高さ方向の接合部において外側へ腰折れしないように結合保持される。
【００１４】
図２〜図４に示すように、前記保持具１３は、保持具本体１７と、その保持具本体１７の基端部に固定された係止部材１８と、保持具本体１７の先端部に取り付けられた把持アーム１９とを備えている。そして、係止部材１８がコンクリート型枠１１上の連結ピン１２に係脱可能に係止されるとともに、把持アーム１９とコンクリート型枠１１の外側縁との間で、支持桟１４が把持されるようになっている。
【００１５】
前記保持具本体１７は金属棒からなり、その基端部には大径部１７ａ及びフランジ部１７ｂが形成されるとともに、先端部にはネジ部１７ｃが形成されている。一方、係止部材１８は金属板により側面形ほぼクランク状に形成され、中間延長部１８ａと、基端固定部１８ｂと、先端係止部１８ｃとを備えている。
【００１６】
嵌合溝２０は前記係止部材１８の基端固定部１８ｂ上において、その幅方向の中央に延長形成されている。そして、この嵌合溝２０に保持具本体１７の大径部１７ａを嵌合させるとともに、中間延長部１８ａに保持具本体１７のフランジ部１７ｂを接合させた状態で、係止部材１８が保持具本体１７に溶接固定されている。
【００１７】
また、図２に示すように、前記係止部材１８の幅Ｗ１は、保持具本体１７の大径部１７ａの外径Ｄ１及び連結ピン１２の外径Ｄ２よりも大きくなるように設定されている。さらに、図３に示すように、係止部材１８の中間延長部１８ａに対する基端固定部１８ｂの折曲げ角度Ａ１は、９０度よりも小さくなるように設定されている。しかも、係止部材１８の先端係止部１８ｃの突出長さＬ１は、コンクリート型枠１１の外面と連結ピン１２との間隔Ｌ２よりも大きくなるように設定されている。
【００１８】
前記把持アーム１９は金属板により平面形ほぼＣ字状に形成され、その一部には挿通孔２１が形成されている。そして、この挿通孔２１を保持具本体１７のネジ部１７ｃに挿通した状態で、ネジ部１７ｃにナット２２を螺合することによって、把持アーム１９が保持具本体１７の先端部に締め付け可能に取り付けられている。
【００１９】
次に、前記のように構成されたコンクリート型枠用の支持桟の保持具の作用を説明する。
さて、高さの高いコンクリート壁等の構造物を形成する場合には、図１に示すように、コンクリート型枠１１を連結ピン１２により長手方向に複数個連結するとともに、高さ方向に複数段積み上げた状態で、所定間隔をおいて対向配置する。そして、コンクリート型枠１１の長手方向の連結部分において、高さ方向に配列された適数箇所の連結ピン１２に対して保持具１３を係止支持する。
【００２０】
この場合には、図２〜図４に示すように、係止部材１８の先端係止部１８ｃをコンクリート型枠１１の外面と連結ピン１２との間に挿入して、連結ピン１２を係止部材１８の中間延長部１８ａと基端固定部１８ｂとの折曲角部に係合させる。これにより、係止具１３がコンクリート型枠１１上に堅固に係止保持されて、その保持具本体１７がコンクリート型枠１１の外側方へほぼ水平に延長配置される。
【００２１】
その後、各保持具１３の把持アーム１９内に支持桟１４を挿通して、ナット２２を締め付けると、支持アーム１９がコンクリート型枠１１側に接近移動される。これにより、支持桟１４が各保持具１３の把持アーム１９とコンクリート型枠１１の外側縁との間で把持されて、そのコンクリート型枠１１の外側縁に沿って立設状態に固定保持される。
【００２２】
この状態で、コンクリート型枠１１間にコンクリートを打設すると、高さの高いコンクリート壁等の構造物が形成される。このコンクリートの打設時には、コンクリート型枠１１に対して外側方向への圧力が作用する。ところが、コンクリート型枠１１の外側縁に沿って支持桟１４が立設されているため、積み上げ状態にあるコンクリート型枠１１が、高さ方向の接合部において外側へ腰折れするおそれはない。
【００２３】
そして、コンクリート型枠１１の離型時には、各保持具１３のナット２２を緩めて、把持アーム１９による支持桟１４の把持を解放した後、支持桟１４を把持アーム１９から抜き取る。この状態で、各保持具１３の係止部材１８を連結ピン１２との係止位置から上方に離脱させれば、それらの保持具１３をコンクリート型枠１１上から取り外すことができる。
【００２４】
前記の実施形態によって発揮される効果について、以下に記載する。
・  この実施形態のコンクリート型枠用の支持桟の保持具においては、保持具本体１７の基端部に、コンクリート型枠１１上の連結ピン１２と係脱可能な係止部材１８が固定されている。また、保持具本体１７の先端部には、支持桟１４をコンクリート型枠１１の外側縁との間で把持する把持アーム１９が締め付け可能に取り付けられている。
【００２５】
このため、保持具１３の構造が簡単であるとともに、コンクリート型枠１１上の連結ピン１２に保持具１３を係脱させることにより、支持桟１４をコンクリート型枠１１の外側縁に容易かつ短時間に着脱することができる。
・  この実施形態のコンクリート型枠用の支持桟の保持具では、保持具本体１７が金属棒により形成されるとともに、係止部材１８が金属板により側面形ほぼクランク状に形成され、その係止部材１８の基端固定部１８ｂが保持具本体１７の基端部に溶接固定されている。
【００２６】
このため、保持具１３の構造が簡単であるとともに、所定の強度を確保することができて、支持桟１４を立設状態に確実に保持することができる。
・  この実施形態のコンクリート型枠用の支持桟の保持具では、係止部材１８の基端固定部１８ｂにおける幅方向の中央に嵌合溝２０が形成され、この嵌合溝２０に保持具本体１７の基端大径部１７ａを嵌合した状態で、係止部材１８の基端固定部１８ｂが保持具本体１７の基端部に溶接固定されてる。
【００２７】
このため、保持具本体１７と係止部材１８とを所定位置に正確に位置決めして、捩じれ等が生じることなく確実に固定することができる。
・  この実施形態のコンクリート型枠用の支持桟の保持具では、係止部材１８の幅Ｗ１が保持具本体１７の基端大径部１７ａの外径Ｄ１、及び連結ピン１２の外径Ｄ２よりも大きくなるように設定されている。このため、保持具１３をコンクリート型枠１１上の連結ピン１２に対し、揺動等を生じることなく堅固に係止させることができる。
・  この実施形態のコンクリート型枠用の支持桟の保持具においては、係止部材１８の中間延長部１８ａに対する基端固定部１８ｂの折曲げ角度が、９０度よりも小さくなるように設定されている。また、係止部材１８の先端係止部１８ｃの突出長さＬ１が、コンクリート型枠１１の外面と連結ピン１２との間隔Ｌ２よりも大きくなるように設定されている。
【００２８】
このため、保持具１３をコンクリート型枠１１上の連結ピン１２に対し、一層堅固に係止させることができる。
なお、この発明は、次のように変更して具体化することも可能である。
【００２９】
・  把持アーム１９を、例えば平面形ほぼＬ字状等の異なった形状に変更すること。
このように構成した場合、把持アーム１９の構成を簡易にすることができる。
【００３０】
・  保持具本体１７、係止部材１８及び把持アーム１９を、前記実施形態とは異なった材料で形成すること。
・  支持桟１４として、前記実施形態とは異なる四角筒状、円筒状などの形状やアルミニウムなどの軽量材料で形成すること。
【００３１】
さらに、前記実施形態より把握される技術的思想について以下に記載する。
（１）  前記保持具本体の基端部を先端側より大径に形成した請求項２ないし請求項５のいずれかに記載のコンクリート型枠用の支持桟の保持具。
【００３２】
このように構成した場合、保持具本体と係止部材との接合強度を高めることができ、支持桟の保持具を強固なものにすることができる。
（２）  複数のコンクリート型枠を連結ピンにより長手方向に連結するとともに、高さ方向に積み上げた状態で、所定間隔をおいて対向配置し、それらのコンクリート型枠の外側縁に沿って、コンクリート型枠の腰折れを防止するための支持桟を立設状態に配置した後、請求項１に記載のコンクリート型枠用の支持桟の保持具を、少なくとも最上部に位置する連結ピンと、最下部に位置する連結ピンとに装着するコンクリート型枠に対する支持桟の保持方法。
【００３３】
このように構成した場合、積み上げ状態にあるコンクリート型枠を、高さ方向の接合部において外側へ腰折れしないように結合保持することができる。
（３）  さらに、前記支持桟の保持具を、中間部に位置する連結ピンに装着したコンクリート型枠に対する支持桟の保持方法。
【００３４】
このように構成した場合、上記（２）の効果をより確実に発揮することができる。
【００３５】
【発明の効果】
この発明は、以上のように構成されているため、次のような効果を奏する。
請求項１に記載の発明によれば、保持具の構造が簡単であるとともに、この保持具を使用して支持桟をコンクリート型枠の外側縁に容易かつ短時間に着脱することができる。さらに、所定の強度を確保することができて、支持桟を立設状態に確実に保持することができる。
【００３７】
請求項２に記載の発明によれば、保持具本体と係止部材とを所定位置に正確に位置決めして、捩じれ等が生じることなく確実に固定することができる。
請求項３に記載の発明によれば、保持具をコンクリート型枠上の連結ピンに対し、揺動等を生じることなく堅固に係止させることができる。
【００３８】
請求項４に記載の発明によれば、保持具をコンクリート型枠上の連結ピンに対し、一層堅固に係止させることができる。
【図面の簡単な説明】
【図１】  コンクリート型枠用支持桟の保持具の使用状態の分解斜視図。
【図２】  その保持具の取付状態を示す拡大斜視図。
【図３】  同じく保持具の取付状態を示す拡大断面図。
【図４】  図３の４−４線における断面図。
【符号の説明】
１１…コンクリート型枠、１２…連結ピン、１３…保持具、１４…支持桟、１７…保持具本体、１７ａ…大径部、１７ｃ…ネジ部、１８…係止部材、１８ａ…中間延長部、１８ｂ…基端固定部、１８ｃ…先端係止部、１９…把持アーム、２２…ナット、Ｗ１…幅、Ｄ１…外径、Ａ１…折曲げ角度、Ｌ１…突出長さ、Ｌ２…間隔。
【図１】
0003676536.tif 000002
【図２】
0003676536.tif 000003
【図３】
0003676536.tif 000004
【図４】
0003676536.tif 000005